(57)【要約】【課題】ゴルフバッグのショルダーテープが自力収納され、このショルダーベルトの収納形態によって、ゴルフバッグのデザインを形良くする。【解決手段】ショルダーテープ（４）の上端及び下端を支持すると共に、前ポケット（１５）の内部にショルダーテープ（４）を自力収納するリトラクタ（１０）を設け、前記ショルダーテープ（４）を外部から前ポケット（１５）内へ案内する引出し口スリット（８）と横振れ防止角カン（７）及びショルダーテープガイド（９）を設けている。ショルダーテープ（４）の上部はショルダーパッド本体（６）で被覆している。ショルダーベルトを使用しないときは、前記ショルダーテープ（４）はリトラクタに巻き取られ余分には露出しない。【選択図】図２
0003107807.tif 000002
【実用新案登録請求の範囲】
【請求項１】
ショルダーテープ（４）を支持しつつそのショルダーテープ（４）をポケット（１５）の内部に装置されて自力収納するリトラクタ（１０）を備えたゴルフバッグであって、ショルダーテープ（４）の上方には長さ調整バックル（５）が設けられかつ露出上部から引出し口スリット（８）の付近までのショルダーテープ(４)の端余部分を被覆する筒状のショルダーパッド本体（６）を設けたことを特徴とするゴルフバッグ。
【請求項２】
ショルダーテープ（４）を支持しつつそのショルダーテープ（４）をポケット（１５）の内部に装置されて自力収納するリトラクタ（１０）を備えたゴルフバッグであって、リトラクタ装置部(１０−２)近傍に一体的に調節ストッパー受け（１０−４）が設けられ、更にショルダーテープ(４)に着脱自在に調節ストッパー（１０−３）が設けられ、かつゴルフバッグの口枠本体（１）の角カン（３）に係止する前記ショルダーテープ（４）を被覆するように筒状のショルダーパッド本体（６）が設けられていることを特徴とするゴルフバッグ。
【請求項３】
リトラクタ（１０）とポケット（１５）の引出し口スリット（８）との間に垂直方向の通過路となるショルダーテープガイド（９）を付設し、引出し口スリット（８）付近に横振れ防止角かん（７）を設けた請求項１又は請求項２に記載のゴルフバッグ。
【請求項４】
前記ショルダーパッド本体（６）は、筒状か又はその側面部にファスナー(６−２)が設けられていることを特徴とする請求項１または請求項２または請求項３のいずれかに記載のゴルフバッグ。
【請求項５】
前記ショルダーパッド本体（６）は、ショルダーテープ(４)に摺動自在か又はその下端部分を固着していることを特徴とする請求項１〜請求項４のいずれかに記載のゴルフバッグ。
【考案の詳細な説明】
【技術分野】
【０００１】
本考案は、美観に優れたゴルフバッグに関する。
【０００２】
特に本考案は、ショルダーテープを支持しつつポケットの内部に自力収納するリトラクタを備えたゴルフバッグにおいて、ショルダーベルトの長さ調節がしっかりでき、見栄えの良い美観に優れたゴルフバッグに関するものである。
【０００３】
ゴルフバッグを持ち運び移動する場合には、肩にかけるショルダーの長さは各使用者の身長や肩厚に合わせて調整する必要がある。
【０００４】
本考案は、第１にショルダーテープ（＝ショルダーベルト、ショルダーバンド）の長さを非常に簡易に調節できるようにしたゴルフバッグに属する技術である。
又第２に、使用者の身長に合わせて調整したゴルフバッグでも、それを直立させた状態でゴルフボール、グローブ、ティー等を出し入れする際にはショルダーテープが垂れてしまうことがあるが、ショルダーテープの長さ調節のために必要とされている、角カン及び長さ調節バックル等による折り返しにより発生するショルダーベルト端余部分はどうしてもすっきりとしないが、その部分をすっきりと収納できるようにする美観の要請に答えるゴルフバッグである。
【背景技術】
【０００５】
従来のショルダーテープを支持しつつポケットの内部に自力収納するリトラクタを備えたゴルフバッグは、一般に、ショルダーテープの長さ調節機能をもたないリトラクタにより構成されている。
長さ調節は、バックルでショルダーベルトの止め具合によって長さ調整をおこなうことが考えられ、確かに、角カン及び長さ調節バックル等による折り返しによってその調節は一応可能である。
しかし、このような折り返しによる方法では長さ変更が直接的ではなく調整が面倒であり、またこれはあくまでも微調整を目的としており大きな変更にはなじまないものといえる。なぜならばショルダーテープの端余部分を多く発生させるからである。
加えて、折り返しによる調節では、依然として他端のリトラクタに直接ゴルフバッグの荷重衝撃がかかり、リトラクタの故障の一原因ともなっている。
【０００６】
この改善策として、自動車等のシートベルトの巻込み収納に採用されている自動車用リトラクタを使用することが考えられる。これは人命に関連するために性能も秀逸でリトラクタに衝撃等の負荷でロックされる機能をもち、複雑な機構構造をもたせたものである。
確かに長さ調整という目的のみ追求するならば、非常に堅牢で優れているもののひとつと考えられ、長さ調整を簡易にできそうであるが、常時同じ位置での停止とはなっていない。
しかもこの種のリトラクタでは、高価であり、低廉で汎用的であることが要請される商品では、このリトラクタを用いることはできず、ゴルフバッグ等の競争の激しい価格競争のある分野の商品には、部品単価が極めて莫大で価格を吸収できないという現実面がある。
加えて、巻き戻し性能や停止機構などでリトラクタの重量も容積も更に増し、コンパクト化が非常に重要視されているゴルフバッグに於いて採用することは難しかった。
【０００７】
そのほかリトラクタを用いたゴルフバッグは、収納という目的達成の一定の効果は認められるものの、低コストの実現及び軽量化の実現や、構造の簡易化の実現と、ショルダーテープの長さ調節とのバランスが図られていなかった。
【０００８】
ゴルフバッグという通常のバッグと異なり重量物であるゴルフクラブを運ぶものである点を特に考慮に入れたうえで、簡易な構成のリトラクタを採用しかつその機能を十分に生かし、かつ長さ調節や美観に最適なものを見出すことは、なかなか難しく、気が付きにくかった。
【０００９】
更に一方他端をリトラクタによりすっきり収納しているにもかかわらずもう一方の他端である上方に露出する折り返し端部を含むショルダーテープの端余部分の収納に対する考察も、同様に注目されず放置されていた。
【００１０】
因みに、リトラクタを設けたゴルフバッグには、次のような背景技術がある。
【特許文献１】実開昭５５−６５０６１号「キャデイバッグのショルダーベルト」
【特許文献２】特開平０８−８９６０７「キャデイバッグ」
【考案の開示】
【考案が解決しようとする課題】
【００１１】
本考案が解決しようとする課題は、ショルダーテープの収納処理と美観の維持である。まずショルダーテープを支持しつつポケットの内部に自力収納するリトラクタを備えたゴルフバッグの特性であるショルダーテープの長さが変化する点を考慮し、ゴルフバッグの最も主要な目的である持ち運び移動に際して、使用者の体格に合わせて最もフィットする長さに簡易にショルダーテープを調節できるようにすることである。
ただ、解決方向で大切なことは、ゴルフバッグという商品に見合った価格幅となるようにしなければならず、更に複雑な機構で交換にもコストがかかるリトラクタでは好ましくなく、その耐久性をも十分考慮して開発することである。
【００１２】
加えて、ゴルフバッグを直立させた状態でゴルフボール、グローブ、ティー等を出し入れする際等の静置時にはショルダーテープの役目は終わっており、その時点における美観を損ねるショルダーテープの端余部分をすっきり見せるように簡易に収納できないかという課題がある。
【００１３】
このショルダーテープの端余部分の処理については、従来の技術に於いては考察の対象とされておらず、近時ゴルフバッグの機能に於いて美観の実現が非常に重要不可欠な要素となってきている背景があるが、以前解決方法が示されていない。
【００１４】
このような課題があるが、ただ重要な点は、ゴルフバッグの携帯性から軽量化、コンパクト化に大きく反するものではなくそして、より簡易な方法で使用者がショルダーテープ調節を行うことができるようされるべきであり、そのことが強く求められていることである。
確かに、ゴルフバッグに限らず一般に市販されているバッグ、リュックサック等においてもショルダーテープの折り返しによる調節は極普通行われており、長さ調節の問題はそれで一応解決されたとも考えられる。
しかし折り返しによる調節は構造上その長さの変化が明確ではなく、ぴったりとあわせることがとても難しい。又折り返したあとの末端がだらりと下がっていることもあった。
更に加えて、仮にリトラクタを装置していても、折り返しのみによる調節ではゴルフバッグを持ち運び移動する場合にはショルダーテープは完全に伸びきった状態になっていることになり、リトラクタに直接的にゴルフバッグの荷重衝撃が加わりショルダーテープとリトラクタとの分離、また複雑で相対的にも高価なリトラクタそのものの回転機構等の損傷の原因となることも予想できる。
【００１５】
そこで、自動車のシートベルトに採用されているような自動車用の頑丈なリトラクタを用いることも考えられる。
この種のリトラクタは、安全上の要請から、一定の契機、例えば衝撃により、シートベルトが固定するものである。
確かにこれはショルダーテープの長さを調節する点だけをみてみると、その簡易性・停止性は非常に優れているといえる。
リトラクタにかかる荷重衝撃も十分考慮されており、問題がなさそうにも思える。
しかし、大切なことは過剰な装置にならないことであり、個別具体的な製品ごとに「相対的」にあったものを選択するというバランスであり、このバランスを大きく崩す装置はむしろ個別機能の価値を下げるのみならず、全体としてその機能を落とすものといえる。
更に二次的にはコストとのバランスも商品である以上重要であることはいうまでもないことである。
【００１６】
これらの問題点を考察すると、具体的にはショルダーテープを支持しつつポケットの内部に自力収納するリトラクタを備えたゴルフバッグのショルダーテープの調節に最も適し、軽量であり、コストを抑えることができる標準的機能をもったショルダーベルト収納調整機構を開発すること、ショルダーベルト収納調整機構のみでは処理できない部分の美観対策をすること、が課題になる。
本考案は前記の従来例の課題に鑑みて考案されたものである。
【課題を解決するための手段】
【００１７】
上記課題を解決するための本考案は、ショルダーテープが自力収納されるようなゴルフバッグに於いて、ショルダーテープの長さが変化するという特性に対応するためショルダーテープを適当な長さに簡易に調節でき、コストがかからず、リトラクタにかかる荷重衝撃を減少しリトラクタの耐久性を高め、加えてもう一方のショルダーテープの端余部分をも美観に優れた簡易な収納を実現することを特徴とする。
【００１８】
実施例を示す図面の符号を使用して説明する。
ここに本考案は、ショルダーテープ（４）を支持しつつそのショルダーテープ（４）をポケット（１５）の内部に装置されて自力収納するリトラクタ（１０）を備えたゴルフバッグであって、長さ調節として、長さ調節バックル（５）又は着脱自在の調節ストッパー（１０−３）を設け、ショルダーテープ（４）の調整バックル（５）を含む露出上部を被覆する筒状(袋状)のショルダーパッド本体（６）を設けたことを特徴とするものである。
着脱自在の調節ストッパー（１０−３）は、ショルダーテープ(４)の任意の位置に引出し長さの調節のために着脱自在に取り付けられるものである。
リトラクタ装置部(１０−２)近傍には一体的に横向きの「  ［  」状の調節ストッパー受け（１０−４）を設け、調節ストッパー（１０−３）は、この調節ストッパー受け（１０−４）に止まる構成である。
【００１９】
ゴルフバッグの口枠本体（１）の近傍に位置する前記ショルダーテープ（４）には長さ調節バックル(５)付近及びそのショルダーテープ(４)の端余部分即ち露出上部から引出し口スリット（８）の付近までを被覆できるように筒状(袋状)でカバー型のショルダーパッド本体（６）が設けられている。
つまり、カバー型のショルダーパッド本体（６）は、ショルダーテープ(４)の収納時の最短露出部分の長さを有して、長さ調節バックル(５)及びショルダーテープ(４)の、端余部分を被覆できるように筒状に設けられている。
【００２０】
前記調節ストッパー受け(１０−４)は、リトラクタ(１０)の一部として、リトラクタ装置部(１０−２)近傍に設けられることが好ましい。例えばリトラクタ（１０）の基台（１０−０）に一体的に形成することができる。
リトラクタ装置部(１０−２)の近傍に設けることで調節ストッパー(１０−３)の露出を極力抑えることができ、誤って手を傷つけるなどの事故防止に役立つ。
尚、調節ストッパー受け(１０−４)は、ショルダーテープ(４)の通過を阻害せずすべりを良くするためにローラー、ベアリング等がついていてもよい。
【００２１】
前記調節ストッパー受け(１０−４)の貫通孔の孔径程度はショルダーテープ（４）が大きな摩擦抵抗がないがかろうじて通過できる程度に通過時隙間がほとんどないスリット状態であることが好ましい。
このようにすることで、調節ストッパー(１０−３)の大きさをより薄く小さくすることが可能になり、調節ストッパー(１０−３)のリトラクタへの巻き込みに際してリトラクタ（１０）との干渉その他リトラクタ（１０）との不具合が起こりにくい。
【００２２】
前記調節ストッパー受け(１０−４)及び調節ストッパー(１０−３)の少なくとも一方はゴルフバッグの荷重衝撃を受けるため、非常に強固な素材、例えば金属製であることが好ましい。静止強度に加え、瞬間的にかかる負荷にも強い素材であることが必要である。衝撃を和らげるため、ゴム等の緩衝材を設けても良い。
緩衝材の付設は、両者の接触部に限定することもできる。両者の接触部は接面積を増やすような構成であることもできる。例えば溝を掘ること、くぼみを設けることなどが考えられる。
致命的な事故等を防ぐため、ある一定の非常に強力な荷重負荷がかかると計画的に破損するような構成にすることもできる。
前記調節ストッパー受け(１０−４)及び調節ストッパー(１０−３)は複数設けてもよい。複数設けることで破損時、重量物ゆえの思わぬけが等の防止にも役立つ。
【００２３】
前記調節ストッパー(１０−３)は薄く、堅牢で微細に巻き取り方向に湾曲していることが好ましい。
これは調節ストッパー(１０−３)がショルダーテープ(４)に取り付けられた状態でリトラクタ(１０)に巻き取られるためショルダーテープ（４）を傷つけず、滑らかなショルダーテープ（４）の出し入れを可能にするためである。
前記調節ストッパー(１０−３)はしっかりとショルダーテープに固定できるが、取り外し可能である。
前記調節ストッパー(１０−３)は調節ストッパー受け(１０−４)の幅よりも若干広く、調節ストッパー受け(１０−４)を通過することがないようになっている。
【考案の効果】
【００２４】
本考案に係るゴルフバッグは、次のような技術的効果がある。
１、ショルダーテープを垂らすことなく美観をもって収納できる。しかもショルダーテープの上部は折り返し部分なども被覆されて美的である。
２、ショルダーテープは、自動巻き収納であり、使用者の背丈や肩厚に合わせてその調整が事前に行える。
３、リトラクタは、基本的機能のみを備えたものであるので、故障がなく、コストを極力おさえることができる。
４、ショルダーテープの中途にストッパー機能を設けたので、ゴルフバッグの荷重衝撃が分散され、リトラクタへの強い負荷によるリトラクタの故障交換可能性が減少する。
リトラクタの耐久性が高まる。
５、ショルダーテープの長さ調節は、事前に調整が簡易にできるし、上方に長さ調節バックルを設けたものは、適時その部分で調整できる。
６、ショルダーテープが、ゴルフバッグに密着する形態になるので、販売時や立ち形がよいデザインになる。外観がすっきりし、シルエットが美的になる。展示販売するときに、他の商品に比べてショルダーテープがすっきりしており、全体としてもコンパクトな印象がする。
７、ショルダーテープが自力収納されるため、前ポケットの開閉をショルダーテープに邪魔されることもないので、円滑にゴルフボール、グローブ、ティー等を出し入れすることができる。
ゴルファーが収納や、ショルダーベルトの突き出し等に煩わしさを感じることなくプレーに集中できる。
８、ショルダーテープの上部露出部分は、バックルごとその端余部分を被覆するように筒状のショルダーパッド本体を設けているので、そのシルエットも好ましく、邪魔になることもない。
バックルの部分でショルダーベルトの長さの設定調節が柔軟にできる。
【考案を実施するための最良の形態】
【００２５】
本考案に係るゴルフバッグは、ショルダーテープ（４）を支持しつつそのショルダーテープ（４）をポケット（１５）の内部に装置されて自力収納するリトラクタ（１０）を備えたゴルフバッグであって、ショルダーテープ（４）の上方からハンドル（１４）の下位根元付近までのショルダーテープ(４)の端余部分を被覆する筒状のショルダーパッド本体（６）を設けたことを特徴とするゴルフバッグである。
図１は、ショルダーテープ（４）の上方に長さ調整バックル（５）が設けられかつこの長さ調整バックル（５）からハンドル（１４）の下位根元付近までのショルダーテープ(４)の端余部分を被覆する筒状のショルダーパッド本体（６）を設けているゴルフバッグである。
【００２６】
リトラクタ（１０）と、ショルダーパッド本体（６）を設けることで、ショルダーテープ（４）を最小の露出として、美観と自動収納を達成している。
ショルダーベルト（４）をポケット(１５)の内部に自動収納し、そのシルエットを美的に保持することを達成した。
ショルダーパッド本体（６）は、ショルダーテープ（４）の端部や長さ調整バックル（５）が位置する上方露出部を被覆するもので、長さ調整バックル（５）で調整を行えるように、ファスナー(６−２)を設けてあり、開閉できる。
【００２７】
図２は、ショルダーテープ（４）を支持しつつそのショルダーテープ（４）をポケット（１５）の内部に装置されて自力収納するリトラクタ（１０）を備えたゴルフバッグであって、リトラクタ装置部(１０−２)近傍に一体的に調節ストッパー受け（１０−４）を設け、更にショルダーテープ(４)に着脱自在に調節ストッパー（１０−３）を設けたものである。
ゴルフバッグの口枠本体（１）の角カン（３）に係止する前記ショルダーテープ（４）の上部を被覆できるように筒状のショルダーパッド本体（６）が設けられているゴルフバッグである。
【００２８】
図２のゴルフバッグでは、調節ストッパー受け（１０−４）と調節ストッパー（１０−３）とを設けた構成と、ファスナーのない筒状のショルダーパッド本体（６）を設けている。
以下そのゴルフバッグの実施例を示す添付図面に基づいて説明する。
【実施例１】
【００２９】
図１は、本考案に係るゴルフバッグの実施例１を示し、ゴルフバッグを右斜めから眺めた斜視図である。
このゴルフバッグは、底（１３）を有する円筒状に形成されたゴルフバッグ本体と、ゴルフバッグ本体の前面下部に付設される前ポケット（１５）と、ゴルフバッグ本体の上方に付設されたショルダーテープ（４）とを備えたものである。
ゴルフバッグ本体上部の開口部（１）から本体内部には、縦方向にゴルフクラブが収納される。
又、前記前ポケット（１５）は、ゴルフバッグ本体の外側部の前面下側位置に付設され、ゴルフボール、グローブ、ティー等が収納される。
また、前記前ポケット（１５）の上方部には、図１に示すように前記ショルダーテープ（４）を挿通する引出し口スリット（８）が備えられている。
【００３０】
前記ショルダーテープ（４）は、一端をゴルフバッグ本体上部のまたぎ（２）、角カン（３）、長さ調整バックル（５）によって係止され、中途で横振れ防止角カン（７）を貫通し、垂直方向のショルダーテープガイド（９）を通過し、他端は前ポケット（１５）の内部に引出し口スリット（８）より導かれ、ゴルフバッグ本体の下部に装置されたリトラクタ（１０）に巻き取られている。
ショルダーテープ（４）は引出し口スリット（８）に導かれる直前に、スリット状の横振れ防止角カン（７）を貫通していて、バッグ表面に寄り添った位置に在り、又吊り下げ時の負荷を分散して補強支持している。
そしてリトラクタ（１０）と外部の引出し口スリット（８）との間には垂直方向のショルダーテープガイド（９）を付設して前記ショルダーテープ（４）の通過路を設けて、ショルダーテープ（４）のスムーズな巻き取り動作を維持できるようにサポートしている。
【００３１】
図１のゴルフバッグでは、前もって使用者の身長や肩厚に合わせてリトラクタ（１０）からショルダーテープ（４）を最長限度引き出し、長さ調整バックル（５）でショルダーテープ（４）の長さを調節しておき、その長さ調整バックル（５）近傍を、ショルダーパッド本体（６）で被覆して準備される。
ゴルフバッグの使用時は、リトラクタ（１０）からショルダーテープ（４）が最長限度まで引き出されるが、その最適な長さで、止まり、使用者に合った丁度良い長さになる。
ゴルフバッグから肩を外すと、ショルダーテープ（４）はリトラクタ（１０）に巻き取られて最短の長さになり、上部はショルダーパッド本体（６）で被覆され、中途に露出しているショルダーテープ（４）は、ゴルフバッグに添ってシルエットを美しくし、ポケット（１５）からの小物の取り出しを邪魔することもない。
【００３２】
図２は、異なる実施例２を示すもので、ゴルフバッグを右斜めから眺めた斜視図である。
基本構成は、前記実施例１と同じで、ショルダーテープ（４）を支持しつつそのショルダーテープ（４）をポケット（１５）の内部に装置されて自力収納するリトラクタ（１０）を備えかつ、ショルダーテープ（４）の端余部分を筒状のショルダーパッド本体（６）で被覆した構成である。
リトラクタ装置部(１０−２)近傍に一体的に調節ストッパー受け（１０−４）が設けられ、更にショルダーテープ(４)に着脱自在に調節ストッパー（１０−３）が設けられていて、ショルダーテープ（４）の引出し長さを調整できるようにしたものである。
そのため、ショルダーテープ(４)は、上方での長さ調節は略して、ゴルフバッグの口枠本体（１）の角カン（３）に係止して設けている。
そして、前記ショルダーテープ（４）の上方部を被覆するように筒状のショルダーパッド本体（６）が設けられている。
筒状のショルダーパッド本体（６）は、ショルダーテープ（４）に摺動自在に取り付けても
よく、又はその下端部分を固着してもよい。
【００３３】
図３は、実施例１のゴルフバッグに取り付けられるショルダーパッド本体（６）の使用状態を示す説明斜視図である。
右側の図は、ショルダーパッド本体（６）のファスナー（６−２）を開いて、ショルダーテープ（４）の長さ調整バックル（５）を調整できる状態を示すものである。
左側の図は、長さ調整バックル（５）で長さを調整した後にファスナー（６−２）を閉じた状態を示すものである。
実施例２のショルダーパッド本体（６）は、その部分での調整が必要でないのでファスナー（６−２）を設けず、筒状としたものになっている。
【００３４】
図４は、実施例２のゴルフバッグに装置されるリトラクタ（１０）の分解斜視図である。
リトラクタ（１０）は、その基台（１０−０）にリトラクタ装置部(１０−２)を設けたものである。
リトラクタ（１０）はポケット（１５）の内部に装填するので、カバー（１０−１）が設けられる。
基台（１０−０）は、その上端にリトラクタ装置部(１０−２)を設けるとともに、ゴルフバッグへの取り付けに使用される。
リトラクタ（１０）の内部軸は、ショルダーテープ（４）を巻き取るように巻取りバネで付勢されている。
基台（１０−０）には、横向きの「  ［  」状の調節ストッパー受け(１０−４)が設けられている。
調節ストッパー受け(１０−４)は、できるだけリトラクタ装置部(１０−２)近傍に設けられることが好ましい。
リトラクタ装置部(１０−２)の近傍に設けることで調節ストッパー(１０−３)の露出を極力抑えることができ、誤って手を傷つけるなどの事故防止に役立つ。
【００３５】
調節ストッパー受け(１０−４)の横［状の貫通孔の孔径程度はショルダーテープ（４）が大きな摩擦抵抗がないがかろうじて通過できる程度であることが好ましい。
このようにすることで、調節ストッパー(１０−３)の大きさをより小さく薄くすることが可能になり、調節ストッパー(１０−３)のリトラクタへの巻き込みに際してリトラクタ（１０）との干渉その他リトラクタ（１０）との不具合が起こりにくい。
【００３６】
前記調節ストッパー受け(１０−４)及び調節ストッパー(１０−３)は金属製である。
静止強度に加え、瞬間的にかかる負荷にも強い素材であることが必要である。衝撃を和らげるため、ゴム等の緩衝材を設けても良い。
緩衝材の付設は、両者の接触部に限定することもできる。致命的な事故等を防ぐため、ある一定の非常に強力な荷重負荷がかかると計画的に破損するような構成にすることも可能である。
さらに、前記調節ストッパー受け(１０−４)及び調節ストッパー(１０−３)は、それぞれ複数設けてもよい。複数設けることで破損時、重量物ゆえの思わぬけが等の防止にも役立つ。
【００３７】
前記調節ストッパー(１０−３)は、図示のものは幅狭で、薄い両面挟みの金属細板である。幅狭の細板面でショルダーテープ（４）を挟んでいるだけであるが、強く挟着することで堅牢に取り付けられる。
調節ストッパー(１０−３)は、薄くても強固にしたいときは、幅広くして、微細に巻き取り方向に湾曲した形状が提案できる。
調節ストッパー(１０−３)はショルダーテープ(４)に取り付けられたままリトラクタ(１０)に巻き取られるため、滑らかなショルダーテープ（４）の出し入れを可能にするためである。
前記調節ストッパー(１０−３)はしっかりとショルダーテープに固定できるが、着脱自在で取り付け位置を変移できることが必要で、取り外しも可能である。
前記調節ストッパー(１０−３)は、調節ストッパー受け(１０−４)の孔径幅よりも若干広く、調節ストッパー受け(１０−４)を通過することがない。
【産業上の利用可能性】
【００３８】
本考案は、ゴルフバッグの美観やデザインを自己維持できるゴルフバッグである。
プレー中も、ただ置いているときも、そしてショップで展示している場合でも、ショルダーテープは、乱れて垂れ下がることはない。
このような構成は、縦型の旅行用ショルダーバッグなど美観を保持したい要請があるバッグには、応用できる技術といえる。
【図面の簡単な説明】
【００３９】
【図１】ショルダーベルトがゴルフバッグに自力収納されている状態を示した実施例１の斜視図である（実施例１）。
【図２】異なる構成のゴルフバッグを示すもので、ゴルフバッグを右斜めから眺めた斜視図である（実施例２）。
【図３】実施例１のゴルフバッグに取り付けられるショルダーパッド本体（６）の使用状態を示す説明斜視図である。右側の図は、ファスナー（６−２）を開いた状態の長さ調節時。左側の図は、ファスナー（６−２）を閉じた状態の通常使用時。
【図４】実施例２のゴルフバッグに装置されるリトラクタ（１０）の分解斜視図である。
【符号の説明】
【００４０】
１        ゴルフバッグ口枠
２        またぎ
３        角カン  
４        ショルダーテープ
５        長さ調節バックル
６        ショルダーパッド本体  
６−１    スライダー
６−２    ファスナー  
７        横振れ防止角かん
８        引出し口スリット
９        ショルダーテープガイド
１０      リトラクタ
１０−０  基台
１０−１  リトラクタカバー
１０−２  リトラクタ装置部
１０−３  調節ストッパー
１０−４  調節ストッパー受け
１１      ボトムハンドル
１２      底巻き
１３      底
１４      ハンドル
１５      ポケット
【図１】
0003107807.tif 000003
【図２】
0003107807.tif 000004
【図３】
0003107807.tif 000005
【図４】
0003107807.tif 000006